(57)【要約】【課題】音符に対応する歌詞の入力位置を容易に画面表示できるようにする。【解決手段】マウスカーソルの移動に応じて、歌詞を入力する位置または歌詞入力位置の近傍位置の表示態様を変化させるようにする。これにより、表示態様の変化を見ながらマウスカーソルを動かすことにより、細かい操作を行うことなく、少ない移動距離で目的の位置に歌詞を入力したり、目的の位置の歌詞を編集したりすることを可能にして、歌詞を入力したり編集したりする際の操作性を向上させて、音符に付加されている複数の歌詞を編集する作業効率を向上させることができるようにする。【選択図】  図４
2009103729.tif 000002
【特許請求の範囲】
【請求項１】
画面表示された楽譜上の音符に付加されている歌詞を編集する歌詞編集装置であって、
前記画面に表示されている複数の音符に亘って歌詞を表示する領域をメモリに設定する表示領域設定手段と、
前記歌詞を表示する領域に存在するマウスカーソルの位置を検出するカーソル位置検出手段と、
前記カーソル位置検出手段によって検出されたマウスカーソルの位置に基づいて前記画面の表示状態を変化させる表示状態制御手段と、
前記表示状態制御手段により表示状態が変化されている状態において、前記マウスカーソルのクリックを検出するクリック検出手段と、
前記クリック検出手段により前記マウスカーソルのクリックが検出されたら、前記画面を編集モード状態に設定するモード制御手段とを有することを特徴とする歌詞編集装置。
【請求項２】
前記歌詞を表示する領域において、各音符に関連付けて歌詞を入力するための歌詞矩形を生成する歌詞矩形生成手段を有し、
前記表示状態制御手段は、前記歌詞矩形生成手段により生成される歌詞矩形を前記カーソル位置検出手段によって検出されたマウスカーソルの近傍に表示することを特徴とする請求項１に記載の歌詞編集装置。
【請求項３】
前記カーソル位置検出手段は、前記マウスカーソルが前記歌詞矩形の内部に存在するか否かを検出することを特徴とする請求項２に記載の歌詞編集装置。
【請求項４】
前記歌詞を表示する領域に表示される複数の歌詞において、同じ番数で繋がっている歌詞同士を覆う歌詞リボンを作成する歌詞リボン作成手段を有し、
前記カーソル位置検出手段は、前記マウスカーソルが前記歌詞リボンの内部に存在するか否かを検出することを特徴とする請求項３に記載の歌詞編集装置。
【請求項５】
前記歌詞リボン作成手段は、前記マウスカーソルが前記歌詞リボン内に存在していない状態において、前記マウスカーソルのクリックが前記クリック検出手段により検出されたら新しい歌詞リボンを作成することを特徴とする請求項４に記載の歌詞編集装置。
【請求項６】
前記表示状態制御手段は、前記マウスカーソルの位置が前記歌詞矩形の内部に存在する場合に歌詞の表示態様を変化させ、前記マウスカーソルの位置が前記歌詞リボン内であって、歌詞が最も近い和音と関連していない場合に、前記和音と歌詞リボンの表示状態を変化させ、前記マウスカーソルの位置が歌詞リボン内であって、歌詞が最も近い和音と関連している場合は、歌詞リボンと和音と歌詞の表示状態を変化させ、前記マウスカーソルの位置が前記歌詞矩形の内部及び歌詞リボンの内部の何れにも存在しない場合には、前記マウスカーソルに最も近い和音の表示態様を変化させることを特徴とする請求項２〜５の何れか１項に記載の歌詞編集装置。
【請求項７】
画面表示された楽譜上の音符に付加されている歌詞を編集する工程をコンピュータに実行させる歌詞編集プログラムであって、
前記画面に表示されている複数の音符に亘って歌詞を表示する領域をメモリに設定する表示領域設定工程と、
前記歌詞を表示する領域に存在するマウスカーソルの位置を検出するカーソル位置検出工程と、
前記カーソル位置検出工程において検出されたマウスカーソルの位置に基づいて前記画面の表示状態を変化させる表示状態制御工程と、
前記表示状態制御工程において表示状態が変化されている状態で、前記マウスカーソルのクリックを検出するクリック検出工程と、
前記クリック検出工程において前記マウスカーソルのクリックが検出されたら、前記画面を編集モード状態に設定するモード制御工程とをコンピュータに実行させることを特徴とする歌詞編集プログラム。
【発明の詳細な説明】
【技術分野】
【０００１】
本発明は歌詞編集装置及び歌詞編集プログラムに関し、特に、画面上に表示された楽譜の音符に対応して付加されている歌詞の編集を行う際に、目的とする歌詞入力位置を容易に画面表示させるために用いて好適な技術に関する。
【背景技術】
【０００２】
従来、歌詞編集装置上で楽譜作成のプログラム（楽譜作成ソフト）を実行して楽譜を作成することが行われている。つまり、パーソナルコンピュータを歌詞編集装置として機能させることが知られている。例えば、各種音楽記号と五線譜とをパーソナルコンピュータに記憶させておき、これら音楽記号と五線譜とを画面上に表示させて楽譜を作成する。
【０００３】
従来の歌詞編集装置では、歌詞を付加するために次のような処理手順が行われている。まず、画面表示されている歌詞入力ボタンをマウスでクリックすることにより、五線譜に沿って歌詞入力位置を示すフレームを表示させる。次に、このフレーム内の、歌詞を付けたい音符（新規作成では先頭の音符）に対応した位置をマウスでクリックして入力キャレット（文字入力ポインタ）を表示させる。
【０００４】
そして、表示させたキャレットが示す位置に歌詞を入力する。歌詞は音符に対応するので、キャレットは音符に対応した位置に表示される。歌詞の一文字が入力されると、キャレットを次の音符に移して次の一文字を入力する。こうして、音符の一つ毎に文字を入力して歌詞を完成させる。キャレットを音符の一つ毎に移動させることを自動化することもできる。
【０００５】
従来の歌詞入力のためのプログラムでは、歌詞は五線譜に沿った位置に、音符に対して割り当てられる。したがって、音域が広い楽曲の楽譜では、歌詞の入力位置に低音側の音符や発想記号が張り出していることがある（図６（ａ）参照）。このような場合に、歌詞を少しだけずらせば、音符と歌詞との干渉がなくなる。
【０００６】
しかし、従来は、歌詞の移動は行単位で行うようになっているので、歌詞を行単位でずらすと、中音域や高音域にある音符と歌詞との間隔が大きくなってしまうために、音符と歌詞との対応が分かりづらくなることがある（図６（ｂ）参照）。
【０００７】
このような問題点を解決するために、特許文献１においては、電子楽譜に対して見やすい位置に注釈を簡単に入力できる楽譜編集装置が提案された、この特許文献１に記載の歌詞編集装置においては、画面上に設定される注釈ボタンをマウスでクリックすると、注釈パレットが現れ、線、図形、テキストのいずれかを選択して注釈を描画するようにしている。
【０００８】
【特許文献１】特開２００７−１０８２９２号公報
【発明の開示】
【発明が解決しようとする課題】
【０００９】
特許文献１に記載された技術を用いることにより、特定の取り決めに従った記号、例えば音程が共通している音符やトップノート等には、検索キーワードを入力して音符を選択し、一斉に注釈を加えることができる。そして、注釈テキストを入力する場合には、注釈個所をダブルクリックするだけでテキストボックスを表示して、そのテキストボックスに直ちにテキストで注釈を入力することができる。
【００１０】
しかしながら、特許文献１に記載の歌詞編集装置の場合には、入力位置と音符との関連付けはオペレータ自身が適切な位置を判断して行わなければならないので、目的の位置に歌詞入力したり、或いは目的の位置の歌詞を再編集したりする作業に多くの労力を費やさなければならなかった。
【００１１】
本発明は前述の問題点に鑑み、音符に対応する歌詞の入力位置を容易に画面表示できるようにすることを目的とする。
【課題を解決するための手段】
【００１２】
本発明の歌詞編集装置は、画面表示された楽譜上の音符に付加されている歌詞を編集する歌詞編集装置であって、前記画面に表示されている複数の音符に亘って歌詞を表示する領域をメモリに設定する表示領域設定手段と、前記歌詞を表示する領域に存在するマウスカーソルの位置を検出するカーソル位置検出手段と、前記カーソル位置検出手段によって検出されたマウスカーソルの位置に基づいて前記画面の表示状態を変化させる表示状態制御手段と、前記表示状態制御手段により表示状態が変化されている状態において、前記マウスカーソルのクリックを検出するクリック検出手段と、前記クリック検出手段により前記マウスカーソルのクリックが検出されたら、前記画面を編集モード状態に設定するモード制御手段とを有することを特徴とする。
【００１３】
本発明の歌詞編集プログラムは、画面表示された楽譜上の音符に付加されている歌詞を編集する工程をコンピュータに実行させる歌詞編集プログラムであって、前記画面に表示されている複数の音符に亘って歌詞を表示する領域をメモリに設定する表示領域設定工程と、前記歌詞を表示する領域に存在するマウスカーソルの位置を検出するカーソル位置検出工程と、前記カーソル位置検出工程において検出されたマウスカーソルの位置に基づいて前記画面の表示状態を変化させる表示状態制御工程と、前記表示状態制御工程において表示状態が変化されている状態で、前記マウスカーソルのクリックを検出するクリック検出工程と、前記クリック検出工程において前記マウスカーソルのクリックが検出されたら、前記画面を編集モード状態に設定するモード制御工程とをコンピュータに実行させることを特徴とする。
【発明の効果】
【００１４】
本発明によれば、歌詞を入力する位置または歌詞入力位置の近傍位置の表示態様を変化させるようにしたので、表示態様の変化を見ながらマウスカーソルを動かすことにより、細かい操作を行うことなく、少ない移動距離で目的の位置に歌詞を入力したり、目的の位置の歌詞を編集したりすることができる。これにより、歌詞を入力したり編集したりする際の操作性を向上させることができ、音符に付加されている複数の歌詞を編集する作業効率を大幅に向上させることができる。
【発明を実施するための最良の形態】
【００１５】
（第１の実施形態）
以下、図面を参照して本発明を詳細に説明する。
図２は、本発明の実施形態を示し、歌詞編集装置のハードウェア構成例を示すブロック図である。図２において、歌詞編集装置のハードウェアはパーソナルコンピュータ等の汎用情報処理装置によって実現できる。
【００１６】
歌詞編集装置１は、ＣＰＵ２、ＲＯＭ３、ＲＡＭ４、表示装置５、キーボード６、マウス７、音源部８、及び通信インタフェース９を備える。表示装置５、キーボード６、及びマウス７はそれぞれＶＲＡＭ１０、キースキャン回路１１、及びマウススキャン回路１２を介してバス１３に接続される。なお、マウス７は、タブレット、タッチスクリーン、及びタッチパネル等、周知のポインティング・デバイスであってもよい。
【００１７】
マウス７のＸ・Ｙ方向の移動量はＲＡＭ４上のカーソルポイントレジスタのカーソル座標データ（座標情報）に加算され、この座標データに基づいて表示装置５上でのマウスカーソルの位置が決定される。このように、カーソル座標データを管理することにより、後述する歌詞の移動検出、及び移動量の算出が行われる。
【００１８】
キーボード６のキーのオン・オフはキースキャン回路１１で検出され、検出結果はＲＡＭ４に書き込まれる。キーボード６のキーのオン・オフが直前の状態と比較されてキーオンイベントやキーオフイベントが認識される。
【００１９】
また、歌詞編集装置１には、ハードディスク、ＣＤ−ＲＯＭ、ＭＯディスク、ＤＶＤ，及びメモリカード等の外部記憶装置を必要に応じて設けることができるし、プリンタドライバを介してプリンタに接続することもできる。
【００２０】
ＣＰＵ２は、所定の制御プログラムに従って各種処理を実行し、本実施形態の歌詞編集装置１の全体動作を制御する。ＲＯＭ３は、ＣＰＵ２に楽譜作成処理を実行させるための楽譜表示プログラムや五線譜、及び音符等の音楽記号を含む各種データ（楽譜作成ソフト）を記憶する。ＲＡＭ４は、ＣＰＵ２での処理に使用される情報を一時記憶する。
【００２１】
表示装置５は、ＬＣＤやＣＲＴ等の表示器あるいはＬＥＤ等の表示灯を含む。表示器には、アイコン、楽譜、複数のタグシートからなる音楽記号のパレット、鍵盤図形等を表示する。
【００２２】
音源部８は音源としてのソフトウェアや効果付与のためのＤＳＰを含む。音源部８には、Ｄ／Ａ変換器、アンプ、スピーカを含むサウンドシステム１４が接続される。
【００２３】
通信インタフェース９は、ＬＡＮやインターネット、電話回線などの通信ネットワーク、あるいはＭＩＤＩ用ネットワークに接続されるインタフェースであり、サーバ等など、他の情報処理装置やＭＩＤＩ機器などの外部機器１５との各種情報の授受に使用される。歌詞編集装置１は、この通信インタフェースを介して取り込んだ演奏情報に基づく楽譜作成も可能である。
【００２４】
音源部８は、ＲＡＭ４上に設けられる演奏情報記憶手段から、ノートナンバ、音色、ステップ、ゲートタイム、ベロシティ等演奏情報を読み込み、それに基づいて楽音波形の加工をしてサウンドシステム１４に出力する。
【００２５】
前述のように構成された本実施形態の歌詞編集装置において、ＣＰＵ２，ＲＯＭ３及びＲＡＭ４よりなるコンピュータシステムにより、表示領域設定手段、カーソル位置検出手段、表示状態制御手段、歌詞矩形生成手段、歌詞リボン作成手段、クリック検出手段、モード制御手段などが構成される。
【００２６】
表示領域設定手段は、画面に表示されている複数の音符に亘って歌詞を表示する領域をメモリに設定する。歌詞を表示する領域に表示される歌詞は、音符と関連付ける必要がある。そこで、歌詞と関連付ける親音符を判断するために、音符の下でクリックされたら歌詞を入力できる歌詞入力モードにするシステムが考えられる。
【００２７】
カーソル位置検出手段は、歌詞を表示する領域に存在するマウスカーソルの位置を検出するために設けられている。表示状態制御手段は、カーソル位置検出手段によって検出されたマウスカーソルの位置に基づいて前記画面の表示状態を変化させるためのものである。歌詞矩形生成手段は、歌詞を表示する領域において、各音符に関連付けて歌詞を入力するための歌詞矩形を生成するためのものである。歌詞リボン作成手段は、歌詞を表示する領域に表示される複数の歌詞において、同じ番数で繋がっている歌詞同士を覆う歌詞リボンを作成するためのものである。クリック検出手段は、表示状態制御手段により表示状態が変化されている状態において、前記マウスカーソルのクリックを検出するためのものである。モード制御手段は、クリック検出手段により前記マウスカーソルのクリックが検出されたら、前記画面を編集モード状態に設定するためのものである。
【００２８】
図３は、表示装置５の表示器に表示された楽譜作成モード画面の一例を示す図である。画面２４の上部にはメニューバー２５及びツールバー２６が設けられる。メニューバー２５及びツールバー２６のボタンは要部のみを図示する。
【００２９】
画面２４の右側には楽譜の描画範囲２７を設ける。描画画面には予め多段（この例では５段）に五線譜を配する。ここでは、五線譜に音部記号を表示した例を示したが、この音部記号は作成者が任意に変更できるし、五線譜のみの初期画面として任意に音部記号を設定することができるものにしてもよい。
【００３０】
また、画面２４の左側には、音楽記号等や編集コマンドを含むパレット２８が表示される。パレット２８は複数のタグシート２８−１、２８−２、…、２８−９からなる。楽譜の作成・編集上使用頻度の高いものを最上部２枚のタグシート２８−１，２８−２に収容して記号の選択を容易にしている。画面２４には、マウス７で移動可能なカーソル２９が表示される。
【００３１】
ツールバー２６に表示されているボタンには、処理モードを切り替えるボタンが含まれている。音符・記号ボタン３０は、音符や音楽記号を五線譜に書き込む楽譜作成モード（図３に表示されている画面）を選択するスイッチである。歌詞入力ボタン３１は、歌詞入力モードを選択するスイッチである。
【００３２】
歌詞入力モードへ切り替えるシステム構成としては、例えば、図１（ｂ）の歌詞入力モードの説明図に示すように、各音符の縦位置に歌詞表示用矩形２１を形成し、この歌詞表示用矩形２１内にマウスカーソル（図示せず）を移動させてクリックされたら、歌詞入力モードへ切り替えるようにするシステムが考えられる。
【００３３】
しかしながら、このように構成すると、歌詞を入力するときには、音符のかなり近くまで横位置を揃えてからマウスカーソルをクリックする必要がある。このため、歌詞編集を行う際の操作性が悪い問題点があった。
【００３４】
本実施形態においては、マウスカーソル１ｂをクリックしたときに、マウスカーソル１ｂに近い親音符を探して、その音符に歌詞がないときに、歌詞入力用の矩形１ａが、前述した歌詞矩形生成手段により、親音符に対応する縦位置に生成され、図１（ａ）に示したように表示される。これは、前述した入力キャレットが表示されている状態に相当する。この表示制御は、表示状態制御手段により行われる。なお、原則的には１つの音符に１つの歌詞が関連付けられているが、図１に示した例は、１つの音符に対して複数の歌詞を関連付けた例を示している。このように、１つの音符に対して複数の歌詞を関連付けた場合には、歌詞の中心が音符の真下になるように位置決めされる。
【００３５】
次に、図４のフローチャートを参照しながら、本実施形態の歌詞編集装置による歌詞編集手順の一例を説明する。
処理が開始されると、最初のステップＳ４０１において、カーソル位置検出手段によりマウスカーソル１ｂの位置の検出が行われる。マウスカーソル１ｂの位置の検出が終わると、次に、ステップＳ４０２に進み、検出したマウスカーソル１ｂの位置が、既に入力済みの歌詞の矩形の内部であるか否かが判断される。
【００３６】
この判断の結果、検出したマウスカーソル１ｂの位置が既に入力済みの歌詞の矩形１ａの内部ではない場合にはステップＳ４０３に進み、後述する歌詞リボンの内部か否かの判断が行われる。この判断の結果、歌詞リボンの内部ではない場合にはステップＳ４０４に進み、最も近い和音の表示態様を変化させる処理が行われる。最も近い和音の表示態様の変化は、例えば、最も近い和音をフラッシュさせることにより行われる。
【００３７】
次に、ステップＳ４０５に進み、マウスカーソル１ｂがクリックされたか否かが判断される。この判断の結果、「ＹＥＳ」の場合にはステップＳ４０６に進み、新しい歌詞リボンの作成が行われる。
【００３８】
歌詞リボンの作成は、歌詞リボン作成手段により行われる。歌詞リボンは、歌詞の繋がりを表すポリゴン情報を保持している。そして、歌詞が入力されたり、移動されたりしたときにポリゴン情報は再生される。歌詞リボンを描画する場合には、歌詞リボンからポリゴン情報を直接受け取り描画する。
【００３９】
ここで生成される歌詞リボン１０１の一例を、図５に示す。この例では、童謡の「開いた開いた」の１番の歌詞の先頭部分である「ひらいたひらいたなんのはなが」に対して、歌詞リボン１０１を描画している様子を示している。
【００４０】
次に、ステップＳ４０７に進み、ステップＳ４０４において表示状態が変化した和音を親として歌詞の入力状態とする。その後、ステップＳ４０８に進み、歌詞編集処理を実行する。
【００４１】
次に、ステップＳ４０９において、編集処理を終了するか否かを判断する。この判断の結果、編集処理を終了しない場合にはステップＳ４０１に戻って前述した処理を繰り返し実行する。また、ステップＳ４０９の判断の結果、編集処理を終了する場合にはエンド処理となる。
【００４２】
一方、ステップＳ４０２の判断の結果、検出したマウスマウスカーソル１ｂの位置が既に入力済みの歌詞の矩形１ａの内部であった場合にはステップＳ４１０に進み、歌詞リボンと和音と歌詞の表示態様を変化させる処理を行う。その後、ステップＳ４１１においてマウスカーソル１ｂのクリックが行われたか否かの判断が行われる。この判断の結果、マウスカーソル１ｂのクリックが行われた場合にはステップＳ４１２に進み、歌詞を再編集状態にする。そして、歌詞を再編集状態にした後は、前述したステップＳ４０８に進み、前述した処理を行う。
【００４３】
また、ステップＳ４０３の判断の結果、検出したマウスカーソル１ｂの位置が歌詞リボンの内部であった場合には、ステップＳ４１３に進み、最も近い和音を探す処理を行う。その後、ステップＳ４１４に進み、ステップＳ４１３で探した和音は歌詞が関連しているか否かを判断する。この判断の結果、関連していない場合にはステップＳ４１５に進み、関連している場合にはステップＳ４１０に進み、前述したように、歌詞リボンと和音と歌詞の表示態様を変化させる処理を行う。ステップＳ４１５においては、和音を歌詞リボンの表示状態を変化させる。
【００４４】
次に、ステップＳ４１６において、クリックが行われたか否かを判断する。この判断の結果、クリックが行われた場合にはステップＳ４１７に進み、歌詞リボン内に、形状が変化しない位置に歌詞が入力されるように位置調整して新規入力状態にする。このようにして、新規入力状態としたら、次に、前述したステップＳ４０８に進んで前述した処理手順に従った処理を実行する。
【００４５】
本実施形態の歌詞編集装置は、前述したように構成したので、表示態様の変化を見ながらマウスカーソル１ｂを動かすことにより、細かい操作を行うことなく、少ない移動距離で目的の位置に歌詞を入力したり、目的の位置の歌詞を編集したりすることができる。これにより、歌詞を入力したり編集したりする際の操作性を向上させることができる。
【００４６】
（本発明に係る他の実施の形態）
前述した本発明の実施の形態における歌詞編集装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４７】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４８】
なお、本発明は、前述した歌詞編集方法における各工程を実行するソフトウェアのプログラム（実施の形態では図４に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５０】
その場合、プログラムの機能を有していれば、オブジェクトコード、インタプリタにより実行されるプログラム、ＯＳに供給するスクリプトデータ等の形態であってもよい。
【００５１】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５２】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５５】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００５６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５７】
【図１】歌詞入力モード時に表示される画面の一例を示し、（ａ）は本発明の実施形態において、歌詞入力モード時に表示される画面の一例を示す図であり、（ｂ）は従来技術から考えられる、歌詞入力モード時に表示される画面の一例を示す図である。
【図２】本発明の一実施形態に係る歌詞編集装置のハードウェア構成の一例を示すブロック図である。
【図３】表示装置の表示器に表示された楽譜作成モード画面の一例を示す図である。
【図４】本実施形態の歌詞編集装置による歌詞編集手順の一例を説明するフローチャートである。
【図５】歌詞の繋がりを表す歌詞リボンの一例を説明する図である。
【図６】従来技術の問題点を説明するための楽譜例を示す図である。
【符号の説明】
【００５８】
１  歌詞編集装置
１ａ  既に入力済みの歌詞の矩形
１ｂ  マウスカーソル
２  ＣＰＵ
３  ＲＯＭ
４  ＲＡＭ
５  表示装置
６  キーボード
７  マウス
８  音源部
９  通信インタフェース
１０  ＶＲＡＭ
１１  キースキャン回路
１２  マウススキャン回路
１３  バス
１４  サウンドシステム
１５  外部機器
【図１】
2009103729.tif 000003
【図２】
2009103729.tif 000004
【図３】
2009103729.tif 000005
【図４】
2009103729.tif 000006
【図５】
2009103729.tif 000007
【図６】
2009103729.tif 000008